(57)【特許請求の範囲】
【請求項１】
踏板と、
前記踏板の後部に位置するライザと、
前記踏板および前記ライザを支持するブラケットフレームとを備え、
前記踏板のライザ側には、貫通穴が設けられており、
可動衝立が、前記貫通穴から突出可能に設けられており、
前記可動衝立は、吹き戻し状の部材からなり、
前記可動衝立は、空気圧の増加によって膨らみ、前記踏板から上方に突出し、且つ、空気圧の減少によって、前記踏板から突出しないように萎む、
可動衝立付き踏段。
【請求項２】
前記吹き戻し状の部材には、ライザ側において巻き出しおよび巻き戻しが生じる、
請求項１の可動衝立付き踏段。
【請求項３】
前記踏板の前記貫通穴の下方には、前記可動衝立を収納する部屋が設けられており、
前記可動衝立は、萎んだ状態で、平面視、前記貫通穴の全周に関して前記部屋の側壁に当接している、
請求項１〜２の何れか一項の可動衝立付き踏段。
【請求項４】
請求項１〜３の何れか一項の可動衝立付き踏段を含む、複数の踏段を備えており、前記複数の踏段が、周回経路を移動される、エスカレータであって、
前記可動衝立は、該可動衝立が前記周回経路の往路側にあるときに、下方を向く空気出入口を有しており、
前記可動衝立が前記周回経路の往路側にあるときに、下向きの空気出入口にむけて上方に空気を送る送風部が設けられている、
エスカレータ。
【請求項５】
請求項１〜３の何れか一項の可動衝立付き踏段を含む、複数の踏段を備えており、前記複数の踏段が、周回経路を移動される、エスカレータであって、
前記踏段は、前記踏段の段差量を制御する追従ローラと、該追従ローラの回転トルクによって回転するラインフローファンが設けられており、
前記踏板の下面には、前記可動衝立が前記周回経路の往路側にあるときに前方を向く空気出入口を有するフードが設けられている、
エスカレータ。
【請求項６】
請求項１〜３の何れか一項の可動衝立付き踏段を含む、複数の踏段を備えており、前記複数の踏段が、周回経路を移動される、エスカレータであって、
前記踏段は、前記踏段の段差量を制御する追従ローラと、該追従ローラの回転により発電する発電機とを備えており、
前記踏板の下面には、前記発電機と接続され、前記可動衝立に空気を送る、充電式エアコンプレッサが設けられている、
エスカレータ。
【請求項７】
踏板と、前記踏板の後部に位置するライザと、前記踏板および前記ライザを支持するブラケットフレームとを備え、前記踏板のライザ側には、貫通穴が設けられており、可動衝立が、前記貫通穴から突出可能に設けられており、前記可動衝立は、空気圧の増加によって膨らみ、前記踏板から上方に突出し、且つ、空気圧の減少によって、前記踏板から突出しないように萎む、可動衝立付き踏段を含む、複数の踏段を備えており、前記複数の踏段が、周回経路を移動される、エスカレータであって、
前記踏段は、前記踏段の段差量を制御する追従ローラと、該追従ローラの回転トルクによって回転するラインフローファンが設けられており、
前記踏板の下面には、前記可動衝立が前記周回経路の往路側にあるときに前方を向く空気出入口を有するフードが設けられている、
エスカレータ。
【請求項８】
踏板と、前記踏板の後部に位置するライザと、前記踏板および前記ライザを支持するブラケットフレームとを備え、前記踏板のライザ側には、貫通穴が設けられており、可動衝立が、前記貫通穴から突出可能に設けられており、前記可動衝立は、空気圧の増加によって膨らみ、前記踏板から上方に突出し、且つ、空気圧の減少によって、前記踏板から突出しないように萎む、可動衝立付き踏段を含む、複数の踏段を備えており、前記複数の踏段が、周回経路を移動される、エスカレータであって、
前記踏段は、前記踏段の段差量を制御する追従ローラと、該追従ローラの回転により発電する発電機とを備えており、
前記踏板の下面には、前記発電機と接続され、前記可動衝立に空気を送る、充電式エアコンプレッサが設けられている、
エスカレータ。
【発明の詳細な説明】
【技術分野】
【０００１】
本発明は、可動衝立付き踏段およびエスカレータに関するものである。
【背景技術】
【０００２】
エスカレータにおいては、近年、いくつかの問題が認識されている。まず、第１の問題として、移動効率の良さから、動いている踏段に対して、通常の階段を上るように踏段を駆け上がる利用者が散見される。また、第２の問題として、近年の携帯端末の発達および普及から、上りのエスカレータにおいて盗撮の被害が確認されている。
【０００３】
上述した第１の問題に対しては、例えば特許文献１に、エスカレータの駆け上りを防止する工夫が開示されている。具体的には、エスカレータの手摺を構成するベルトに、転倒事故を防止するための「歩行禁止」等の表示マークを印刷する工夫が開示されている。
【０００４】
また、第２の問題に対しては、エスカレータを対象とした盗撮防止装置が開示されている。この盗撮防止装置では、撮影された画像の画質を劣化させるための照射装置が用いられている。
【先行技術文献】
【特許文献】
【０００５】
【特許文献１】特開２０１５−５１８７２号公報
【特許文献２】特開２０１５−２２２８９７号公報
【発明の概要】
【発明が解決しようとする課題】
【０００６】
しかしながら、特許文献１に開示の工夫では、利用者に、駆け上りを控えるように注意喚起を行うことができるものの、物理的な防止作用は得られず、抑止の実効性は十分ではなかった。また、特許文献２に開示の技術では、多数の照射装置を設置し費用が嵩む一方、撮影者の撮影意欲の減退に期待した措置であり、撮影そのものを抑止する効果は直接得られないものであった。
【０００７】
本発明は、上記に鑑みてなされたものであり、踏段の駆け上りを防止すると共に盗撮を防止することもできる、エスカレータの踏段、を提供することを目的とする。
【課題を解決するための手段】
【０００８】
上述した目的を達成するため、本発明の可動衝立付き踏段は、踏板と、前記踏板の後部に位置するライザと、前記踏板および前記ライザを支持するブラケットフレームとを備え、前記踏板のライザ側には、貫通穴が設けられており、可動衝立が、前記貫通穴から突出可能に設けられており、前記可動衝立は、吹き戻し状の部材からなり、前記可動衝立は、空気圧の増加によって膨らみ、前記踏板から上方に突出し、且つ、空気圧の減少によって、前記踏板から突出しないように萎む。
【発明の効果】
【０００９】
本発明によれば、踏段の駆け上りを防止すると共に盗撮を防止することもできる。
【図面の簡単な説明】
【００１０】
【図１】本発明の実施の形態１に係るエスカレータの側面を示す図である。
【図２】踏段の構成を示す斜視図である。
【図３】本実施の形態１の踏段における踏板の平面図である。
【図４】図３のＩＶ−ＩＶ線による断面図である。
【図５】膨らむ途中の吹き戻し状の部材を示す図である。
【図６】完全に膨らんだ吹き戻し状の部材を示す図である。
【図７】前後に隣り合う踏段を側方から示し、可動衝立が立ち上がっていない状態を示す図である。
【図８】前後に隣り合う踏段を側方から示し、可動衝立が立ち上がった状態を示す図である。
【図９】本実施の形態３に関する、図６と同態様の図である。
【発明を実施するための形態】
【００１１】
以下、本発明の可動衝立付き踏段およびエスカレータの実施の形態について添付図面に基づいて説明する。なお、図中、同一符号は同一又は対応部分を示すものとする。
【００１２】
実施の形態１．
図１は、本実施の形態１に係るエスカレータの側面を示す図である。エスカレータ１は、上下斜めに延びるトラス３を備えており、そのトラス３には、無端状に連結され循環移動する複数の踏段５が設けられている。踏段５はそれぞれ、上部エリア（上階）としての上側乗降口７と、下部エリア（下階）としての下側乗降口９との間を斜めに往復する。そして、複数の踏段５は、往路１１において階段状をなして被搬送対象である利用者を載せ、復路１３においては、トラス３内を往路１１と逆向きに進行する。
【００１３】
往路１１側の踏段５の左右両側には、トラス３の長手方向に沿って延びる欄干１５が立設されている。左右一対の欄干１５にはそれぞれ、側板１７と、移動手摺１９とが含まれている。移動手摺１９は、無端状をなすベルト状部材であり、踏段５の周回移動と同期するようにして、側板１７の周囲を周回移動する。
【００１４】
さらに、図２に基づいて、本実施の形態１の踏段の詳細について説明する。図２は、実施の形態１の踏段の構成を示す斜視図である。踏段５はそれぞれ、踏板２１と、ライザ２３と、それら踏板２１及びライザ２３を支持するブラケットフレーム２５と、追従ローラ２９とを備えている。なお、図２は、踏段の概要を示す意図の図であり、後述する吹き戻し状の部材に関連した構成は図示省略されており、当該構成については、主に、図３〜図６において説明する。また、本発明としてのエスカレータは、周回経路を移動される複数の踏段のうち、可動衝立付き踏段を少なくとも一つ備えている構成を広く含むものであるが、本実施の形態１は、複数の踏段の全てが可動衝立付き踏段である構成を例示する。
【００１５】
踏板２１は、その表面（上面）側に利用者を載せる部分である。ライザ２３は、踏板２１の進行方向の後部に位置しており、踏板２１の後端２１ａから、踏板２１の裏面（下面）側へと延びる部分である。前述したように複数の踏段５は往路１１において階段状となるが、踏板２１の表面はその踏み面に相当し、ライザ２３の表面は階段の蹴り上げに相当する。また、ライザ２３は、踏板２１から離隔する部分ほど、踏板２１の中央（進行方向の前方）に傾くような態様で、概ね弧状に湾曲して延びている。
【００１６】
ブラケットフレーム２５は、踏板２１の裏面側であって、且つ、ライザ２３の裏面側に設けられている。ブラケットフレーム２５には、追従ローラ２９が設けられている。追従ローラ２９は、ブラケットフレーム２５におけるライザ２３側に配置されている。
【００１７】
また、トラス３内の適所には、公知の態様で、図示省略する駆動軸、駆動チェーン等が設けられる。踏段５には、駆動ローラ２７が取り付けられており、駆動ローラ２７の軸は、駆動チェーンに連結されており、図示省略するチェーンスプロケット等を介して駆動チェーンが周回駆動されることで、複数の踏段５もまた周回移動される。さらに、トラス３内には、図示省略する周知の駆動ローラ用ガイドレールが設けられており、踏段５が移動する間、駆動ローラ２７は、駆動ローラ用ガイドレール上を転動されて案内される。また、追従ローラ２９は、踏段の段差量を制御するものであり、図示省略する周知の追従ローラ用ガイドレール上を従動され転動される。
【００１８】
図３は、本実施の形態１の踏段における踏板の平面図である。図４は、図３のＩＶ−ＩＶ線による断面図である。図５は、膨らむ途中の吹き戻し状の部材を示す図である。図６は、完全に膨らんだ吹き戻し状の部材を示す図である。なお、図５および図６は、吹き戻し状の部材およびその関連する部分を明瞭に示すことを優先し、適宜、透過的に図示している（図７、図８、図９も同様）。また、図３中の足跡状の点線は、平均的な利用者の踏板上での立ち位置を示す参考線であり、実際の踏板に関する限定や立ち位置等の利用態様に関する限定ではない。
【００１９】
図３によく示されているように、踏板５のライザ側には、踏板２１を貫通する貫通穴３１が設けられている。踏段５には、可動衝立３３が、貫通穴３１から突出可能に設けられている。踏板２１の貫通穴３１の下方には、可動衝立３３を収納する部屋３５が設けられている。一例であるが、貫通穴３１は、平面視、矩形の穴である。また、部屋３５は、貫通穴３１を上向きの開口とする筐体状の部分で構成されている。部屋３５の空間は、矩形の貫通穴３１に対応して、矩形の底壁３５ａと、底壁３５ａの４辺から立ち上がる４つの側壁３５ｂとによって画定されている。
【００２０】
可動衝立３３は、袋部材からなり、より詳細には、吹き戻し状の部材からなる。この吹き戻し状の部材は、可撓性の高い軟質の部材から構成されており、例えば、塩化ビニルやポリプロピレンなどの樹脂材料から構成することができる。可動衝立３３は、何らの空気圧も与えられていない状態では、ロール状をなして、部屋３５内に完全に収納されている。つまり、部屋３５内に完全に収納された状態では、可動衝立３３は、踏板２１の上面から突出しないように縮んでいる。
【００２１】
一方、可動衝立３３は、空気圧の増加によって、図５に示されるように、膨らみながら巻き出され、踏板２１から立ち上がる可動衝立３３の高さが増加する。さらに、空気が供給されると、可動衝立３３は、図６に示されるように、真っ直ぐに幕状に立ち上がる。なお、図６は、側方から示すだけであるので、図２に点線で、可動衝立３３が幕状に立ち上がった様子を仮想的に示す。また、空気の供給が中止されると、つまり、可動衝立３３の袋状の内部の空気圧が減少すると、可動衝立３３は、自身の巻癖に従って、図５に示される状態を経て、図３に示されるように、部屋３５内に巻き戻り、踏板２１から突出しないように萎む。
【００２２】
好適には、可動衝立３３の吹き戻し状の部材は、ライザ２３側において（踏段５の進行方向の後方側において）巻き出しおよび巻き戻しが生じるように配置される。
【００２３】
可動衝立３３は、図４に示されるように、ロール状に完全に萎んだ状態では、平面視、貫通穴３１の全周に関して、部屋３５の側壁に当接している。すなわち、可動衝立３３は、ロール状に完全に萎んだ状態では、平面視、４つの側壁３５ｂそれぞれの全長さにわたって接触している。
【００２４】
続いて、可動衝立３３への空気の供給態様について説明する。本実施の形態１では、図５および図６に示されるように可動衝立３３は、当該可動衝立３３が周回経路の往路側（上昇側）にあるときに、下方を向く空気出入口３７を有している。空気出入口３７は、袋状の吹き戻し状の部材の口にあたる部分に接続されており、この空気出入口３７を介して、袋の内外に空気の出入りが行われる。
【００２５】
また、エスカレータのトラス３の内側には、送風部３９が設けられている。この送風部３９は、斜めに延びる踏段５の往路側の移動経路の所定範囲にわたって連続的に延びている。一例を示すと、可動衝立３３が周回経路の往路側にあるときに、下向きの空気出入口３７にむけて上方に空気を送る上向きの噴射口と、噴射口に空気を送るブロアとを用いることができる。これにより、周回経路を移動する可動衝立付き踏段５は、往路側において、送風部３９の上方を移動する間だけ可動衝立３３が幕状に立ち上がる。
【００２６】
以上のように構成された本実施の形態１によれば、踏段の上昇時に幕状の衝立を出現させることができるので、利用者の踏段の駆け上りを防止すると共に盗撮を防止することもできる。特に、本実施の形態１では、衝立が出現するので、駆け上りを行おうとする利用者に対して経路を遮るという物理的な作用を及ぼすことができ、且つ、盗撮を行おうとする者に遮蔽等という物理的な作用を及ぼすことができる。よって、注意喚起や撮影意欲の減退といった心理的な作用よりも、さらに高い駆け上りを防止効果と盗撮防止効果とが得られる利点がある。また、本来であれば、エスカレータの踏段の上面に物体を突出させると、上側乗降口において、踏段が、ランディングプレート端部のくし部（図１に参照符号７ａで図示）に収容される際、物体とくし部とが干渉する問題が懸念される。しかし、本実施の形態１では、送風部を通り過ぎると突出していられなくなる可動衝立を用いているため、上記の高い盗撮防止効果と駆け上りを防止効果とを得ておりながら、踏段のくし部への収容を阻害することもない。
【００２７】
また、本発明は、吹き戻し状の部材が、ライザ側と反対側（進行方向前方側）において巻き出しおよび巻き戻しが生じる態様も含むが、本実施の形態１では、特に、吹き戻し状の部材が、ライザ側（進行方向後方側）において巻き出しおよび巻き戻しが生じる。よって、本実施の形態１では、吹き戻し状の部材が立ち上がる過程で、その吹き戻し状の部材が、利用者の脚部を撫でたり女性のスカート裾をすりあげてしまったりする不快な現象が生じる恐れもない。また、本実施の形態１のようにライザ側において巻き出しおよび巻き戻しが生じる態様では、上側乗降口において踏段がくし部に収容される際、相対的な関係で吹き戻し状の部材から見て、くし部は、吹き戻し状の部材をロールさせる方向に移動するため、吹き戻し状の部材とくし部との干渉回避の観点からより好ましい構成が得られている。
【００２８】
さらに、本実施の形態１では、可動衝立は、萎んだ状態で、平面視、踏板の貫通穴の全周に関して、可動衝立を収納する部屋の側壁に当接している。すなわち、部屋はロール状に萎んだ可動衝立によって蓋をされた状態に近い。このため、踏板に上向きに開放された部屋を有しておりながら、この部屋にゴミ等の異物が溜まることを抑制することもできる。また、仮に、ロール状に萎んだ可動衝立の上に異物が落下しても、それらの異物は、踏段が往路側にきた際に、可動衝立が巻き出るときの勢いで、部屋の外へと排出されることが期待できる。
【００２９】
実施の形態２．
次に、図７および図８に基づき、本発明の実施の形態２について説明する。図７は、前後に隣り合う踏段を側方から示し、可動衝立が立ち上がっていない状態を示す図である。図８は、前後に隣り合う踏段を側方から示し、可動衝立が立ち上がった状態を示す図である。なお、本実施の形態２は、以下に説明する内容を除いては、実施の形態１と同様であるものとする。
【００３０】
本実施の形態２の踏段には、追従ローラ２９の回転トルクが伝達されるラインフローファン１４１が設けられている。ラインフローファン１４１は、追従ローラ２９の回転トルクによって回転する。具体的一例を示すと、追従ローラ２９の支持軸を、追従ローラ２９と一体的に回転するように取り付けておき、その支持軸に、ラインフローファン１４１を設ける。さらに、踏板２１の下面には、可動衝立３３が周回経路の往路側にあるときに前方を向く空気出入口１４３ａを有するフード１４３が設けられている。
【００３１】
このように構成された本実施の形態２においては、踏段が、下側乗降口を通過して上昇を始めると、追従ローラ２９が回転し、さらにラインフローファン１４１も回転する。これによって、ラインフローファン１４１からは、進行方向後方に向けた送風１４５が生まれる。ここで、図７に示されるように、踏段が下側乗降口を通過して間もないときは、踏段の段差が少なく、ある踏段のラインフローファンの後方には、隣り合う踏段のラインフローファンが位置する。このため、ある踏段から生じる送風１４５は、その後方のフード１４３には十分に流入せず、その後方の可動衝立３３は踏板２１から突出しない。一方、図８に示されるように、段差が生じるようになると、ある踏段から生じる送風１４５は、その後方のフード１４３に流入し、吹き戻し状の部材内に空気が充填されていき、可動衝立３３が踏板２１上に立ち上がる。可動衝立３３が立ち上がった踏段５は、上昇しながら前進し、やがて、上側乗降口に近づく。前後に隣り合う踏段５は、上側乗降口７に近づくと、段差が減少し、相対的に前方の踏段５のラインフローファン１４１の高さは、相対的に後方の踏段５のフード１４３の高さよりも、大きく低下する。すなわち、図８の状態から、図７の状態に戻る。このため、それまで、フード１４３に対して得られた送風１４５が得られなくなり、可動衝立３３が萎み始める。そして、踏段５が上側乗降口７に達する前に、可動衝立３３は完全に収納される。
【００３２】
以上のように構成された本実施の形態２によっても、実施の形態１と同様な作用効果が得られ、踏段の駆け上りを防止すると共に盗撮を防止することもできる。しかも、本実施の形態２では、可動衝立を膨らませるための空気を供給する機構として、外部から電力を得る必要がなく、極めてエネルギコストのかからない態様で、上記実施の形態１の優れた利点を得ることができる。また、本実施の形態２では、電気的配線を一切不要とできるため、作動不良の可能性を、より低下させることができる。
【００３３】
実施の形態３．
次に、図９に基づき、本発明の実施の形態３について説明する。図９は、本実施の形態３に関する、図６と同態様の図である。なお、本実施の形態３は、以下に説明する内容を除いては、実施の形態１と同様であるものとする。
【００３４】
本実施の形態３の踏段は、踏段の段差量を制御する追従ローラと、追従ローラの回転により発電する発電機とを備えている。なお、これら追従ローラと発電機とは、別体として用意される態様、または、一体として用意される態様とのいずれでもよいが、一例を挙げると、発電機能付き追従ローラ２２９が用いられている。さらに、本実施の形態３の踏段は、充電式エアコンプレッサ２４７を備えている。充電式エアコンプレッサ２４７は、踏板２１の下面に設けられており、発電機能付き追従ローラ２２９と接続されている。踏段５の進行に応じて、発電機能付き追従ローラ２２９の発電機能部において、追従ローラの回転トルクが電気エネルギに変換され、発電された電気が、充電式エアコンプレッサ２４７に蓄えられる。そして、充電式エアコンプレッサ２４７は、踏段５が周回経路の往路側にあって且つ上下の乗降口と十分に離れた範囲にあるときに、可動衝立３３の吹き戻し状の部材に空気を供給し、吹き戻し状の部材を膨らませる。また、踏段５が上側乗降口７に近づくと、充電式エアコンプレッサ２４７は空気の供給を停止し、可動衝立３３は萎み始め、踏段５が上側乗降口７に達する前に、可動衝立３３は完全に収納される。
【００３５】
以上のように構成された本実施の形態３によっても、実施の形態１と同様な作用効果が得られ、踏段の駆け上りを防止すると共に盗撮を防止することもできる。しかも、本実施の形態３でも、可動衝立を膨らませるための空気を供給する機構として、外部から電力を得る必要がなく、極めてエネルギコストのかからない態様で、上記実施の形態１の優れた利点を得ることができる。
【００３６】
以上、好ましい実施の形態を参照して本発明の内容を具体的に説明したが、本発明の基本的技術思想及び教示に基づいて、当業者であれば、種々の改変態様を採り得ることは自明である。
【符号の説明】
【００３７】
５  踏段、２１  踏板、２３  ライザ、２５  ブラケットフレーム、２７  駆動ローラ、２９  追従ローラ、３１  貫通穴、３３  可動衝立、３５  部屋、３５ａ  底壁、３５ｂ  側壁、３７  空気出入口、３９  送風部、１４１  ラインフローファン、１４３  フード、２２９  発電機能付き追従ローラ、２４７  充電式エアコンプレッサ。
【図１】
0006647083.tif 000002
【図２】
0006647083.tif 000003
【図３】
0006647083.tif 000004
【図４】
0006647083.tif 000005
【図５】
0006647083.tif 000006
【図６】
0006647083.tif 000007
【図７】
0006647083.tif 000008
【図８】
0006647083.tif 000009
【図９】
0006647083.tif 000010